(57)【要約】    【課題】  使用者がポータブルトイレを前方を上に持ち上げて傾けた状態で移動しても、後方に設けた扉から内部容器が椅子部の外に飛び出さないポータブルトイレを提供すること。    【解決手段】  ポータブルトイレ１は、上部に開口部が形成され、かつ、着座自在な座部４０及び後部開放部８が設けられた椅子部２と、椅子部２の座部４０の開口部４１に対向して開口する上部開口６１を有すると共に、その後方側にも開口する後部開口６２を有し、椅子部２に取り付けられた外部容器６０と、外部容器内６０に収容され、外部容器６０の後部開口６２からの取り出し及び取り付け、持ち運び自在な内部容器５０と、を備え、椅子部２は、後部開放部８を開閉する扉７０を備え、扉７０の開閉と連動して内部容器５０の後方への移動を規制するストッパ装置８０から構成される。【選択図】  図４
2009082246.tif 000002
【特許請求の範囲】
【請求項１】
上部に開口部が形成され、かつ、着座自在な座部及び後部開放部が設けられた椅子部と、
前記椅子部の座部の開口部側に対向して開口する上部開口を有すると共に、その後方側にも開口する後部開口を有し、前記椅子部に取り付けられた外部容器と、
前記外部容器内に収容され、前記外部容器の後部開口側からの取り出し及び取り付け、持ち運び自在な内部容器と、を備えるポータブルトイレであって、
前記椅子部は、前記後部開放部を開閉する扉を備え、前記扉の開閉と連動して前記内部容器の後方への移動を規制するストッパ部材を備えるポータブルトイレ。
【請求項２】
前記ストッパ部材は、前記扉が開のときは前記内部容器が前記後部開放部より取り出せる位置に移動し、前記扉が閉のときは前記内部容器が前記後部開放部からの飛び出しを規制する、ことを特徴とする請求項１に記載のポータブルトイレ。
【請求項３】
前記ストッパ部材は回動部材を備え、前記回動部材と前記内部容器とが接触して前記回動部材の回動を規制する、ことを特徴とする請求項１または請求項２のいずれかに記載のポータブルトイレ。
【発明の詳細な説明】
【技術分野】
【０００１】
本発明は、ポータブルトイレに関するもので、特に、排泄物（大便・小便）を収容する内部容器が取り出し可能なポータブルトイレに関するものである。
【背景技術】
【０００２】
近年、高齢者時代の到来とともに在宅の寝たきり老人の介護が大きな社会問題となりつつある。この介護に際しては、特に、排泄物の処理が問題である。このような事情に鑑み、寝室、病室等の室内に家具の如く置いておくことができるポータブルトイレが各種市販されるようになってきた。これらのポータブルトイレは、便座の下側に排泄物を収容する内部容器が配置される。そして、要介護者の排泄物が、この内部容器内に落下するようになっている。この排泄物を収容する内部容器は、介護者が適宜内部容器を取り出し、トイレルーム等にて処理している（例えば、特許文献１参照。）。
【０００３】
また、ポータブルトイレ用内部容器において、把手を持ち上げたとき、容器本体内に排泄された排泄物の重みにより前記容器本体が回動しないように、回動阻止手段を設けたものを開示している（例えば、特許文献２参照。）。
【特許文献１】特開２００２−２８２１６４号公報
【特許文献２】特開２００６−０９４８８６号公報
【発明の開示】
【発明が解決しようとする課題】
【０００４】
上記特許文献１及び特許文献２の技術は、ポータブルトイレ用内部容器をトイレ本体から前方または上方に取り出している。ところが、介護老人のベッドとポータブルトイレとの位置関係は、介護老人のベッドの近い位置にポータブルトイレの前面が位置している。特に、足腰が弱っている人の場合には、その間の距離も比較的近く設定されている。したがって、ポータブルトイレ用内部容器をトイレ本体から前方に取り出すには、トイレ本体の後退移動が必要となる。
【０００５】
また、介護者は、要介護者の排便終了時にお尻を拭くのに、少し前のめりにかがませ、トイレとお尻の間の隙間から手を差し入れて拭く必要があり、介護者及び要介護者の双方にとって肉体的及び精神的にきつい対応となる。そして、要介護者が排便し終えたかどうかは、介護者が要介護者に直接尋ねるか、介護者が要介護者を一旦立ち上がらせてから確認せねばならなかった。
【０００６】
そこで、本願発明者はかかる不具合を解決するため、開口部を設けた着座自在な座部を有する椅子部と、椅子部の座部の開口側に対向して開口すると共に、その後方側にも開口する椅子部に取り付けられた外部容器と、外部容器内に収容され、外部容器の後部開口側から取り出し及び取り付け、持ち運び自在な内部容器と、を備えたポータブルトイレを発明した。このポータブルトイレでは、内部容器の取り出しを後方から可能にしたため、前方に配置されたベッド等の位置に左右されることなく取り出し自在とし、かつ、要介護者の排便終了時の確認、お尻の始末が容易になる。
【０００７】
しかしながら、使用者がポータブルトイレを前方を上に持ち上げて傾けた状態で移動する場合、後方に設けた扉が開いて内部容器が椅子部の外に飛び出す問題がある。
【０００８】
本発明は上記問題点に鑑みてなされたものであり、使用者がポータブルトイレを前方を上に持ち上げて傾けた状態で移動しても、後方に設けた扉から内部容器が椅子部の外に飛び出さないポータブルトイレを提供することを目的とする。
【課題を解決するための手段】
【０００９】
上記課題を解決するため、請求項１に記載の発明は、上部に開口部が形成され、かつ、着座自在な座部及び後部開放部が設けられた椅子部と、椅子部の座部の開口部側に対向して開口する上部開口を有すると共に、その後方側にも開口する後部開口を有し、前記椅子部に取り付けられた外部容器と、前記外部容器内に収容され、前記外部容器の後部開口側からの取り出し及び取り付け、持ち運び自在な内部容器と、を備えるポータブルトイレであって、前記椅子部は、前記後部開放部を開閉する扉を備え、前記扉の開閉と連動して前記内部容器の後方への移動を規制するストッパ部材を備える構成である。
【００１０】
また、請求項２に記載の発明は、前記ストッパ部材は、前記扉が開のときは前記内部容器が前記後部開放部より取り出せる位置に移動し、前記扉が閉のときは前記内部容器が前記後部開放部からの飛び出しを規制する構成である。
【００１１】
また、請求項３に記載の発明は、前記ストッパ部材は回動部材を備え、前記回動部材と前記内部容器とが接触して前記回動部材の回動を規制する構成である。
【発明の効果】
【００１２】
請求項１に記載の発明では、椅子部は後部開放部を開閉する扉と連動して作動するストッパ部材を備えるため、扉が閉じた状態で内部容器の後方への移動を規制することが可能となり、使用者がポータブルトイレを前方を上に持ち上げて傾けた状態で移動しても、内部容器が椅子部の外に飛び出すことを防止できる。また、扉を閉じれば自動的にストッパ部材が機能するため、使用者がストッパ部材を手動で操作する必要がなく、操作性が向上する。
【００１３】
また、請求項２に記載の発明では、ストッパ部材は扉が閉のときだけ内部容器が後部開放部からの飛び出しを規制する。使用者は扉を開にして内部容器を後部開放部より取り出すとき、ストッパ部材は規制位置から取り出しの邪魔にならない位置に退避（移動）するため、後方からの内部容器取り出しの作業性を損なうことがない。
【００１４】
また、請求項３に記載の発明では、使用者がポータブルトイレを前方を上に持ち上げて傾けた状態で移動すると、内部容器には後方に移動しようとする力が働く。回動部材と内部容器の接触部には、回動方向とは異なる方向に力が作用するため、回動部材の回動が妨げられ、内部容器が後方に移動するのを防ぐことができる。
【発明を実施するための最良の形態】
【００１５】
以下に本発明の実施形態を図面を参照しつつ詳細に説明する
図１は本発明の実施形態におけるポータブルトイレ１の構成を示す斜視図、図２は本発明の実施形態におけるポータブルトイレ１の構成部品を示す分解斜視図、図３は本発明の実施形態におけるポータブルトイレ１の断面構成を示す説明図、図４は本発明の実施形態におけるストッパ部材８０の説明図である。
【００１６】
図１〜４において、木材または合成樹脂等で形成される椅子部２の基本的構成は、公知の椅子の肘掛に相当する機能を有する肘掛部１０と、公知の椅子の背凭れに相当する機能を有する背凭れ部２０と、同じく公知の椅子の脚に相当する機能を有する脚部３０、公知の椅子と相違する略中央に開口を設けた着座自在な座部４０を有する。
【００１７】
肘掛部１０は、普通、両側に配設されるが、片側のみ取り外し自在とすること、要介護者等の使用者の運動能力、身長に応じて、高くまたは低く設定されるものである。本発明を実施する場合には、肘掛部１０の変形自在を意味するものではなく、肘掛の基本的形態を有するもので、人が側方に倒れないようにアシストできればよい。
【００１８】
背凭れ部２０は、後方に移動したり、倒れたりするのを受け止めるものであるが、要介護者の体型によって、高くまたは低く設定されるものであり、必ずしも凭れることを前提とするものではなく、人が後方に倒れないようにアシストできればよい。しかし、信頼性を高めるには、椅子部の肘掛部、背凭れ部は、要介護者の体重、体形、身長等の肉体的条件に対して決定される強度、臀部の位置決めとしての機能を有するものの使用が望ましい。
【００１９】
脚部３０は、着座自在な座部４０を所定の高さにするものであり、独立した脚を有することを前提とするものではなく、肘掛部１０の構成部材と、その構成部材を共通にすることもできる。通常、介護者等の身長に応じて、任意の高さに調節できるように、伸縮調節できる機構を設けるのが好適であるが、特定長に固定とすることもできる。後部左右の脚部にはそれぞれキャスター３１が設けられている。使用者はポータブルトイレ１の前方を上に持ち上げると、ポータブルトイレ１は傾いて床部とキャスター３１が接地する。使用者はポータブルトイレ１を傾けたまま任意の位置に移動することができる。
【００２０】
着座自在な座部４０は、略中央に開口を設けた便座としても機能し、排泄物の通過する開口部４１を有する。開口部４１は、内部容器５０の内容器蓋５１がそのまま、または折り畳んだ状態で取り出せる程度の面積の開口となっており、公知の便座の開口面積に近いものである。内部容器５０は脚部３０と座部４０とで囲まれた空間内に収容された外部容器６０内に収容配置される。外部容器６０は上部開口６１及び後部開口６２を有し、内部容器５０とは相違し、外部容器６０は上部開口６１から上下方向に内部容器５０の挿脱自在とし、また、後部開口６２は後部開口６２から前後方向に内部容器５０の挿脱を自在とするものである。
【００２１】
また、椅子部２は、その後方に扉７０を配設している。扉７０は、椅子部２の脚部３０の相互間に生じる開口（後部開放部）に対して、脚部３０の相互間下部に配設したヒンジ等の軸７３で軸支され、略水平から略直角に回動し、略水平のとき、内部容器５０を外部容器６０から引き出し可能とし、略直角のとき外部容器６０の後部開口６２を外部から見えなくしている。
【００２２】
扉７０は、扉本体７１とそれに対して直角に形成した補助部材７２とを有している。扉本体７１の外表面は、意匠面となっており、内側の面は内部容器５０の底面が摺動自在な形態になっている。このため、扉本体７１の内側の面は、樹脂加工面とし、前後方向に並行する線条とすることができる。補助部材７２は、略水平位置のとき、内部容器５０を外部容器６０から引き出しても、内部容器５０がその内側の面から外れることのないように停止機能を持たせている。また、略直角位置のとき、着座自在な座部４０と扉本体７１との間の間隙を覆う機能を持たせている。扉７０はヒンジ等の軸７３で回動自在に軸支され、外部容器６０の後部開口６２を外部から見えなくしている。
【００２３】
扉７０と椅子部２を構成する後部台７の左右にはストッパ装置８０が設置される。ストッパ装置８０は、内部容器５０の容器本体５２の後部と接触して内部容器５０の後方への移動を規制する左右に伸びる規制バー８１（回動部材）を備える。また、ストッパ装置８０は左右に５本の可動リンク８２〜８６と、２本の固定リンク８７、８８を夫々備える。
【００２４】
規制バー８１は可動リンク８２〜８６と固定リンク８７、８８により扉７０の開閉と連動して軸８９を回動中心に回動する。規制バー８１は、扉７０が開のときは下方に回動して内部容器５０が後部開放部８より取り出せる位置に移動し、扉が閉のときは上方前方に回動して内部容器５０が後部開放部８から飛び出すのを防げる。
【００２５】
使用者はポータブルトイレ１の前方を上に持ち上げると、ポータブルトイレ１は傾いて内部容器５は規制バー８１と接触する。このとき接触部には力Ｆａが働くが、規制バー８１を回動するためには回動方向の力Ｆｇが必要であり、規制バー８１の回動が妨げられる。
【００２６】
図５は図４のストッパ装置８０の変形例である。その他の構成は図１〜図３と同じであり、同一の部材については同一の符番を付して説明する。
【００２７】
ストッパ部材９０は、内部容器５０の容器本体５２の後部と接触して内部容器５０の後方への移動を規制する左右に伸びる規制バー９１を備える。また、ストッパ装置９０は左右に３本の可動リンク９２〜９４と、２本の固定リンク９５、９６を夫々備える。
【００２８】
規制バー９１は可動リンク９２〜９４と固定リンク９５、９６により扉７０の開閉と連動して軸９７を回動中心に回動する。規制バー９１は、扉７０が開のときは下方に回動して内部容器５０が後部開放部８より取り出せる位置に移動し、扉が閉のときは上方前方に回動して内部容器５０が後部開放部８から飛び出すのを防げる。
【００２９】
使用者はポータブルトイレ１の前方を上に持ち上げると、ポータブルトイレ１は傾いて内部容器５は規制バー９１と接触する。このとき接触部には力Ｆａが働くが、規制バー９１を回動するためには回動方向の力Ｆｇが必要であり、規制バー９１の回動が妨げられる。
【００３０】
図６は、は図４のストッパ装置８０の変形例である。その他の構成は図１〜図３と同じであり、同一の部材については同一の符番を付して説明する。
【００３１】
ストッパ部材１００は、内部容器５０の容器本体５２の後部と接触して内部容器５０の後方への移動を規制する左右に伸びる規制バー１０１を備える。また、ストッパ装置１００は左右に摺動面１０２と、２本の固定リンク１０３、１０４と、扉に取り付けられた固定リンク１０４の端部に設けたローラー１０５を夫々備える。
【００３２】
規制バー１０１は、摺動面１０２と、固定リンク１０３、１０４と、ローラー１０５により扉７０の開閉と連動して軸１０６を回動中心に回動する。扉７０が閉じるとローラー１０５は摺動面１０２と接触して、１０２の摺動面を摺動する。このとき規制バー１０１は軸１０６を回動中心として上方前方に向かって回動する。
【００３３】
規制バー１０１は、扉７０が開のときは下方に回動して内部容器５０が後部開放部８より取り出せる位置に移動し、扉が閉のときは上方前方に回動して内部容器５０が後部開放部８から飛び出すのを規制する。
【００３４】
使用者はポータブルトイレ１の前方を上に持ち上げると、ポータブルトイレ１は傾いて内部容器５は規制バー１０１と接触する。このとき接触部には力Ｆａが働くが、規制バー１０１を回動するためには回動方向の力Ｆｇが必要であり、規制バー１０１は回動しないままの位置で保持される。
【００３５】
本発明のポータブルトイレ１では、椅子部２は後部開放部８を開閉する扉７０と連動して作動するストッパ装置８０、９０、１００を備えるため、扉７０が閉じた状態で内部容器５０の後方への移動を規制することが可能となり、使用者がポータブルトイレ１を前方を上に持ち上げて傾けた状態で移動しても、内部容器５０が椅子部２の外に飛び出すことを防止できる。また、扉７０を閉じれば自動的にストッパ装置８０、９０、１００の機能が働くため、使用者がストッパ装置８０、９０、１００を手動で操作する必要がなく、操作性が向上する。
【００３６】
また、ストッパ装置８０、９０、１００は扉７０が閉のときだけ内部容器５０が後部開放部８からの飛び出しを規制するため、使用者は扉７０を開にして内部容器５０を後部開放部８より取り出すとき、規制バー８１、９１、１０１は規制位置から取り出しの邪魔にならない下方の位置に退避（移動）するため、後方からの内部容器５０の取り出しの作業性を損なうことがない。
【００３７】
また、使用者がポータブルトイレ１を前方を上に持ち上げて傾けた状態で移動すると、内部容器５０には後方に移動しようとする力が働くが、規制バー８１、９１、１０１と内部容器５０の接触部には、回動方向とは異なる方向に力が作用するため、規制バー８１、９１、１０１の回動が妨げられ、内部容器５０が後方に移動するのを防ぐことができる。
【図面の簡単な説明】
【００３８】
【図１】本発明の実施形態におけるポータブルトイレの構成を示す斜視図である。
【図２】本発明の実施形態におけるポータブルトイレの構成部品を示す分解斜視図である。
【図３】本発明の実施形態におけるポータブルトイレの断面構成を示す説明図である。
【図４】本発明の実施形態におけるストッパ部材の説明図である。
【図５】図４のストッパ装置の変形例である。
【図６】図４のストッパ装置の変形例である。
【符号の説明】
【００３９】
１  ポータブルトイレ
２  椅子部
８  後部開放部
１０  肘掛部
２０  背凭れ部
３０  脚部
４０  座部
４１  開口部
５０  内部容器
６０  外部容器
６１  上部開口
６２  後部開口
７０  扉
８０、９０、１００  ストッパ装置（ストッパ部材）
８１、９１、１０１  規制バー（回動部材）
【図１】
2009082246.tif 000003
【図２】
2009082246.tif 000004
【図３】
2009082246.tif 000005
【図４】
2009082246.tif 000006
【図５】
2009082246.tif 000007
【図６】
2009082246.tif 000008